(57)【要約】      （修正有）【課題】持運び可能なアルミニウム製梯子に対して有効に装着し、優れた使用性や使い勝手を効果的に実現する梯子用背バンドを提供する。【解決手段】一対のスタンション部２の長手方向に沿って所定ピッチで複数のステップ部３が横架されてなる梯子１に装着される。スタンション部２を跨いでアーチ状に装架される複数の可動バンド１１と、各可動バンド１１の基部に結合配置されてスタンション部２上を転動可動に構成されたガイドローラ１２とを備え、ガイドローラ１２がスタンション部２に沿って転動移動することにより、各可動バンド１１が展開又は収縮する。【選択図】図３
0003191958.tif 000002
【実用新案登録請求の範囲】
【請求項１】
一対のスタンション部の長手方向に沿って所定ピッチで複数のステップ部が横架されてなる梯子に装着される梯子用背バンドであって、
前記スタンション部を跨いでアーチ状に装架される複数の可動バンドと、各可動バンドの基部に結合配置されて前記スタンション部上を転動可動に構成されたガイドローラとを備え、
前記ガイドローラが前記スタンション部に沿って転動移動することにより、各前記可動バンドが展開又は収縮するようにしたことを特徴とする梯子用背バンド。
【請求項２】
前記ガイドローラは前記スタンション部に対して係合及び離脱可能に構成され、各前記可動バンドが前記ガイドローラと共に前記梯子から着脱自在であることを特徴とする請求項１に記載の梯子用背バンド。
【請求項３】
前記ガイドローラは、各前記可動バンドの基部に結合するベースプレート上に設けた支軸のまわりに回転自在に支持されることを特徴とする請求項１又は２に記載の梯子用背バンド。
【請求項４】
各前記可動バンドの基部側端部に前記支軸と平行な開き防止シャフトを有し、各前記可動バンドの基部側端部が広がるのを防止することを特徴とする請求項１〜３のいずれか１項に記載の梯子用背バンド。
【請求項５】
各前記可動バンドは複数のロープを介して相互に連結され、その展開時には前記梯子の長手方向に沿って所定ピッチで配列されることを特徴とする請求項１〜４のいずれか１項に記載の梯子用背バンド。
【考案の詳細な説明】
【技術分野】
【０００１】
本考案は、特に持運び可能なアルミニウム製梯子に対して有効に装着し得る梯子用背バンドに関するものである。
【背景技術】
【０００２】
高所への仮設昇降設備（既設デッキへの昇降タラップ、単管足場の昇降タラップあるいは掘削後の昇降タラップ等）としてアルミニウム製梯子を設置するが、墜落防止処置として安全ブロックの取付を行っている。また、二重の安全対策として梯子の周囲に単管で下地を組み、墜落防止としてネットを設けている。
【０００３】
また、梯子を昇降する作業者の背側に装着する「囲い」として、背かご、背バンドあるいは安全ガード等と称するものがある。この安全ガード等は、昇降する作業員の安全確保を目的とし、これがあると、落下する危険性が大幅に減少する。恒久的な垂直梯子（モンキータラップ）等では、装着が義務付けられるケースが多い。
【０００４】
なお、特許文献１には橋梁仮設現場等で使用される垂直梯子の改良に関するものが開示されている。
【先行技術文献】
【特許文献】
【０００５】
【特許文献１】実公平６−２６７２０号公報
【考案の概要】
【考案が解決しようとする課題】
【０００６】
建設現場における仮設昇降タラップの設置場所は同じ条件の場所はなく、仮設足場や単管下地等の組立を行って設置する場合が多い。足場内の階段が設置できる場合は問題ないが、梯子等で垂直タラップを設置する場合、墜落防止用の安全ブロックは容易に設置できるものの、二重の安全対策についてはかなりの時間とコストがかかる。
【０００７】
一方、特に持運び可能な梯子に関して、重量増加や取扱いが面倒となる等の理由から、背かごを持たないアルミニウム製梯子が多く使われる。汎用のアルミニウム製梯子においても、安全性を確保する必要性が増している。
【０００８】
本考案はかかる実情に鑑み、持運び可能なアルミニウム製梯子に対して効果的に装着し、優れた使用性や使い勝手を有効に実現する梯子用背バンドを提供することを目的とする。
【課題を解決するための手段】
【０００９】
本考案の梯子用背バンドは、一対のスタンション部の長手方向に沿って所定ピッチで複数のステップ部が横架されてなる梯子に装着される梯子用背バンドであって、前記スタンション部を跨いでアーチ状に装架される複数の可動バンドと、各可動バンドの基部に結合配置されて前記スタンション部上を転動可動に構成されたガイドローラとを備え、前記ガイドローラが前記スタンション部に沿って転動移動することにより、各前記可動バンドが展開又は収縮するようにしたことを特徴とする。
【００１０】
また、本考案の梯子用背バンドにおいて、前記ガイドローラは前記スタンション部に対して係合及び離脱可能に構成され、各前記可動バンドが前記ガイドローラと共に前記梯子から着脱自在であることを特徴とする。
【００１１】
また、本考案の梯子用背バンドにおいて、前記ガイドローラは、各前記可動バンドの基部に結合するベースプレート上に設けた支軸のまわりに回転自在に支持されることを特徴とする。
【００１２】
また、本考案の梯子用背バンドにおいて、各前記可動バンドの基部側端部に前記支軸と平行な開き防止シャフトを有し、各前記可動バンドの基部側端部が広がるのを防止することを特徴とする。
【００１３】
また、本考案の梯子用背バンドにおいて、各前記可動バンドは複数のロープを介して相互に連結され、その展開時には前記梯子の長手方向に沿って所定ピッチで配列されることを特徴とする。
【考案の効果】
【００１４】
本考案によれば、汎用の梯子に装着されて所定ピッチで梯子の長手方向に沿って配列された可動バンド内側で安全且つ適正に作業を遂行することができ、高所作業の安全性及び効率化に寄与する。使用に際して既存の梯子をそのまま使用し、コストがかからない上、短時間で梯子に装着することができ、使用性に極めて優れている。梯子用背バンドは梯子に対して着脱自在であるから、使用後はコンパクトに折り畳まれて収縮しあるいは取り外し、取付け及び取外しに時間がかからず、加えて軽量であるため持運び等が極めて容易である。
【図面の簡単な説明】
【００１５】
【図１】本考案による梯子用背バンドの第１の実施形態を示す側面図である。
【図２】本考案による梯子用背バンドの第１の実施形態を示す上面図である。
【図３】本考案による梯子用背バンドの使用状態を示す図である。
【図４】本考案による梯子用背バンドの不使用時の収縮状態を示す図である。
【図５】本考案による梯子用背バンドの第２の実施形態を示す側面図である。
【図６】本考案による梯子用背バンドの第２の実施形態を示す上面図である。
【図７】本考案による梯子用背バンドの第２の実施形態に係るフレームガイドシューの例を示すそれぞれ部分拡大図である。
【考案を実施するための形態】
【００１６】
以下、図面に基づき、本考案による梯子用背バンドにおける好適な実施の形態を説明する。
図１は、本考案の実施形態において梯子１に装着された梯子用背バンド１０を示している。ここで先ず、梯子１について説明する。梯子１はアルミニウム製とし、この例では１段式とする。本実施形態において梯子１として汎用のものを使用する。梯子１は図２をも参照して一対のスタンション部２の長手方向に沿って、所定ピッチで複数のステップ部３がスタンション部２間に横架される。図２に示されるようにスタンション部２は「コ」字状の断面形状を有し、そのコ字の中央辺部を外側にして、一対が相互に対向するようにステップ部３を介して結合する。
【００１７】
梯子用背バンド１０は、一対のスタンション部２を跨いでアーチ状に装架される複数の可動バンド１１と、各可動バンド１１の基部にてスタンション部２に対して転動自在に装着されるガイドローラ１２を有する。可動バンド１１は、典型的にはアルミニウム製の帯状板材をアーチ状に湾曲成形してなり、図１に示されるように梯子１の梯子面から垂直に装架される。可動バンド１１のアーチ状は、梯子１を昇り降りする作業者等がその内側を通り抜けることができる程度の大きさ寸法を有している。可動バンド１１の基部の内側には梯子１の表裏両側に亘って延設されるベースプレート１３が結合し、このベースプレート１３に各ガイドローラ１２が取り付けられる。
【００１８】
各ベースプレート１３において梯子１の両側の梯子面に位置して、ステップ部３と平行な一対の支軸１４が内方へ延出し、これらの支軸１４のまわりに回転自在に（図２、両矢印参照）一対のガイドローラ１２が支持される。これらのガイドローラ１２は、スタンション部２のコ字状断面のコ字の両辺部を外側から挟み込むように当接し、該両辺部上を転動可能である。また、支軸１４の間はそれらと同軸の開き防止シャフト１５を介して相互に連結され、これにより可動バンド１１の基部側が広がってしまうのを防止する。そして、ガイドローラ１２がスタンション部２から外れ、可動バンド１１が梯子１から脱落するのが防がれる。
【００１９】
可動バンド１１は、ガイドローラ１２がスタンション部２のコ字の両辺部上を転動することで梯子１の長手方向に沿ってスライド可能となる。本例では図１のように４つの可動バンド１１が装架されるが、その数は必要に応じて適宜増減可能である。この場合、最下段の可動バンド１１Ａは他の可動バンド１１よりもアーチ状の高さが高く設定され、図１のように梯子１に装着された梯子用背バンド１０が上下に展開された際、作業者等が梯子用背バンド１０内に潜り易くする。
【００２０】
また、最上段の可動バンド１１は、図１及び図２に示されるように各スタンション部２との間でステー１６を介して連結される。ここで、ステップ部３は中空構造を有し、図４を参照してスタンション部２のコ字の中央辺部に開口する貫通孔１７が形成されている。最上段のステップ部３の貫通孔１７には図２のように梯子連結シャフト１８が挿入され、梯子連結シャフト１８の両端部にはそれぞれステー１６の一端がナット１９等によって固定される。ステー１６の他端は、最上段の可動バンド１１の側部適所にピン結合を介して回動可能に連結される。
【００２１】
また、最上段の可動バンド１１から最下段の可動バンド１１Ａまでの全体は隣接するもの同士が、複数本（例えば３〜５本程度）のロープ２０を介して相互に連結される。梯子用背バンド１０が図２のように展開された際には、可動バンド１１（可動バンド１１Ａ）は所定ピッチ（７００ｍｍ程度）で梯子１の長手方向に沿って配列される。更に、このように展開された梯子用背バンド１０にはネット２１が弛みなく張架される。ネット２１は可動バンド１１の適所に係着される。
【００２２】
上記のように構成された梯子用背バンド１０の実使用において、例えば作業現場にて梯子１に装着される。この場合、各可動バンド１１のガイドローラ１２を可動バンド１１Ａから順次、スタンション部２に係合させて、梯子１の長手方向に沿って配列する。全ての可動バンド１１を装架し、最上段の可動バンド１１がステー１６を介してスタンション部２と連結される。図３に示されるように作業現場に立て掛けられた梯子１には、梯子用背バンド１０が装着展開され、作業者等はその梯子用背バンド１０内に潜り込むかたちで所定の作業を実施することができる。
【００２３】
一方、作業終了後は、図４に示されるように各可動バンド１１を密着するように畳み込んで、そのまま搬送することができる。あるいはまた、ステー１６をスタンション部２から外して梯子用背バンド１０を梯子１から取り外してもよい。
【００２４】
本考案の梯子用背バンド１０によれば、所定ピッチで梯子１の長手方向に沿って配列された可動バンド１１内側で安全且つ適正に作業を遂行することができ、例えば特にステップ部３には障害物がないため高所作業の安全性及び効率化に寄与する。使用に際して既存のアルミニウム製の梯子１をそのまま使用し、コストがかからない上、短時間で梯子１に装着することができ、使用性に極めて優れている。また、梯子用背バンド１０は梯子１に対して着脱自在であるから、使用後はコンパクトに折り畳まれて収縮し、あるいは取り外し、このように取付け及び取外しに時間がかからず、軽量であるため持運び等が極めて容易である。
【００２５】
次に、本考案の梯子用背バンド１０の第２の実施形態を説明する。なお、上記実施形態と実質的に同一部材には同一符号を用いるものとする。図５及び図６は、本考案の梯子用背バンド１０の第２の実施形態を示している。この例では第１段梯子１Ａ及び第２段梯子１Ｂが相互にスライド可能に連結する２段伸縮スライド式のアルミニウム製の梯子１を使用する。第１段梯子１Ａはそのスタンション部２のコ字の中央辺部を外側にし、第２段梯子１Ｂはそのスタンション部２のコ字の中央辺部を内側にして、両者はそれぞれのスタンション部２同士で係合し、スライド式に伸縮する。
【００２６】
第１段梯子１Ａにおいて、この例では下３段の可動バンド１１のベースプレート１３には、スタンション部２のコ字の両辺部一側に係合する鍵状のフレームガイドシュー２２が立設される。なお、フレームガイドシュー２２の例を図７（Ａ）に示す。フレームガイドシュー２２の両側にはそれぞれ、支軸２３のまわりに回転自在に一対のガイドローラ２４が支持される。また、下２段の可動バンド１１には、第２段梯子１Ｂのスタンション部２上を転動可能な補助ローラ２５が装着される。
【００２７】
また、第２段梯子１Ｂにおいて、この例では上４段の可動バンド１１のベースプレート１３には、スタンション部２のコ字の両辺部一側に係合するスリット状のフレームガイドシュー２６が立設される。なお、フレームガイドシュー２６の例を図７（Ｂ）に示す。フレームガイドシュー２６の両側にはそれぞれ、支軸２７のまわりに回転自在に一対のガイドローラ２８が支持される。また、上３段の可動バンド１１には、第１段梯子１Ａのスタンション部２上を転動可能な補助ローラ２９が装着される。
【００２８】
また、この例では４段目の可動バンド１１には、図５のように第１段梯子１Ａの頂部に係合する１段目引掛けフック３０が設けられる。１段目引掛けフック３０は、梯子用背バンド１０が図示のように展開装着された際、第１段梯子１Ａの頂部に引っ掛けられる。
【００２９】
本考案の梯子用背バンド１０の第２の実施形態においても、使用に際して既存の梯子１をそのまま使用し、コストがかからない上、短時間で梯子１に装着することができ、使用性に極めて優れている。また、梯子用背バンド１０は梯子１に対して着脱自在であり、使用後はコンパクトに折り畳み、あるいは取り外し、このように取付け及び取外しに時間がかからず、軽量であるため持運び等が極めて容易である。
【００３０】
以上、本考案を種々の実施形態と共に説明したが、本考案はこれらの実施形態にのみ限定されるものではなく、本考案の範囲内で変更等が可能である。
例えばステップ部３の貫通孔１７に支軸を貫通配置し、その両端部にスタンション部２のコ字の両辺部上を転動可能なガイドローラが装着する構成も可能である。
【符号の説明】
【００３１】
１  梯子、２  スタンション部、３  ステップ部、１０  梯子用背バンド、１１  可動バンド、１２  ガイドローラ、ｌ３  ベースプレート、１４  支軸、１５  開き防止シャフト、１６  ステー、１７  貫通孔、１８  梯子連結シャフト、２０  ロープ、２１  ネット。
【図１】
0003191958.tif 000003
【図２】
0003191958.tif 000004
【図３】
0003191958.tif 000005
【図４】
0003191958.tif 000006
【図５】
0003191958.tif 000007
【図６】
0003191958.tif 000008
【図７】
0003191958.tif 000009
【手続補正書】
【提出日】平成26年5月15日(2014.5.15)
【手続補正１】
【補正対象書類名】実用新案登録請求の範囲
【補正対象項目名】全文
【補正方法】変更
【補正の内容】
【実用新案登録請求の範囲】
【請求項１】
一対のスタンション部の長手方向に沿って所定ピッチで複数のステップ部が横架されてなる梯子に装着される梯子用背バンドであって、
前記スタンション部を跨いでアーチ状に装架される複数の可動バンドと、各可動バンドの基部に結合配置されて前記スタンション部上を転動可動に構成されたガイドローラとを備え、
前記ガイドローラが前記スタンション部に沿って転動移動することにより、各前記可動バンドが展開又は収縮するようにしたことを特徴とする梯子用背バンド。
【請求項２】
前記ガイドローラは前記スタンション部に対して係合及び離脱可能に構成され、各前記可動バンドが前記ガイドローラと共に前記梯子から着脱自在であることを特徴とする請求項１に記載の梯子用背バンド。
【請求項３】
前記ガイドローラは、各前記可動バンドの基部に結合するベースプレート上に設けた支軸のまわりに回転自在に支持されることを特徴とする請求項１又は２に記載の梯子用背バンド。
【請求項４】
各前記可動バンドの基部側端部に前記支軸と平行な開き防止シャフトを有し、各前記可動バンドの基部側端部が広がるのを防止することを特徴とする請求項３に記載の梯子用背バンド。
【請求項５】
各前記可動バンドは複数のロープを介して相互に連結され、その展開時には前記梯子の長手方向に沿って所定ピッチで配列されることを特徴とする請求項１〜４のいずれか１項に記載の梯子用背バンド。